(57)【要約】【課題】    ブラシ本体の長さを清掃場所の状況に適応可能とした清掃用ブラシ構造を提供する。【解決手段】内側鞘部５０と、その外側に据え付けた外側鞘部４０と、移動操作部６０とからなり、外側鞘部に内側鞘部の挿入孔５２と連通する縦長の位置決めスロット４３を形成し、ここを介して移動操作部の挿入部６２を内側鞘部の挿入孔に係合させて、位置決めスロットの左右内側縁に対称にギザギザ縁部を形成させ、このギザギザの突出した静止スペースと引っ込んだ収容スペースにより、移動操作部を所望の位置に徐々に段階的に確実に位置付けることができ、清掃場所の状況や清掃しようとする物品に合わせてブラシ本体の長さを調節することができるため、非常に使い勝手の良い清掃用ブラシ構造が得られる。また、移動操作部の案内用押板６１に色々なパターンを用いて魅力的にして、販売競争力を高めることでできるようにした。【選択図】    図２
0003119154.tif 000002
【実用新案登録請求の範囲】
【請求項１】
外側鞘部、内側鞘部、移動操作部から構成される清掃用ブラシ構造であって、
前記内側鞘部の外側に配設された内側鞘部には、外周面の一部に縦長の位置決めスロットが形成され、前記位置決めスロットの内側両縁部には複数個の突出点と凹点が交互に水平に形成されたギザギザ縁部が設けられていて、前記突出点に限定された狭い静止スペースと、前記凹点に限定される広い収容スペースとを形成しており、
前記内側鞘部には外周面の一端部に、外側鞘部の位置決めスロットと組み合わされるための、垂直に刻まれた挿入孔が形成されており、
前記移動操作部は、案内用押板と、該案内用押板の底部に伸長する位置決め部を有する挿入部が形成されていて、これにより前記移動操作部が内側鞘部の挿入孔に安定して装着されるとともに、移動操作部の挿入部の位置決め部は位置決めスロットの突出点及び凹点によって正確に挟まれ収容されて、内側鞘部の位置調節を徐々に行なう効果がもたらされ、これにより、清掃する場所や物品の状況や高さによって案内押板を前後にスライドすると、ブラシ本体を状況に応じて所望の長さにするのを確実にし、使用中に案内押板が滑って係合が外れることのないように安定的に位置付けするとともに、交換のために取り外し作業も簡単にできるようにして、最高の使い勝手が得られるようにしたことを特徴とする清掃用ブラシ構造。
【請求項２】
前記内側鞘部の外径は、前記外側鞘部の内径よりも小さいことを特徴とする請求項１に記載の清掃用ブラシ構造。
【請求項３】
前記内側鞘部の挿入孔の上部には係止ブロックが突出して配設されていて、該係止ブロックはその内壁面に形成された複数本の垂直案内凹部によって複数に区画されることで複数個に限定されていることを特徴とする請求項１に記載の清掃用ブラシ構造。
【請求項４】
挿入孔の各係止ブロックの両端部は、それぞれ、上方係止面及び下方係止面によって限定されていることを特徴とする請求項１に記載の清掃用ブラシ構造。
【請求項５】
前記移動操作部の案内用押板は色々なパターンや形状に柔軟性をもって作られることを特徴とする請求項１に記載の清掃用ブラシ構造。
【請求項６】
前記移動操作部の案内用押板は、ペン・クリップ機能を持たせるよう、楕円形の板状に作られていることを特徴とする請求項１に記載の清掃用ブラシ構造。
【請求項７】
前記移動操作部の案内用押板は、花状の外形に形取られていることを特徴とする請求項１に記載の清掃用ブラシ構造。
【請求項８】
前記移動操作部には、その位置決め部の一側に接続部が下方へ伸長して配設されていることを特徴とする請求項１に記載の清掃用ブラシ構造。
【請求項９】
前記移動操作部の位置決め部は、円筒形柱状の形状に形作られていることを特徴とする請求項１に記載の清掃用ブラシ構造。
【請求項１０】
前記移動操作部の位置決め部は、外側鞘部の位置決めスロットの収容スペースよりも外径が若干大きいことを特徴とする請求項１に記載の清掃用ブラシ構造。
【請求項１１】
前記移動操作部の接続部は、矩形の柱状の形状に形作られていることを特徴とする請求項８に記載の清掃用ブラシ構造。
【請求項１２】
前記移動操作部には、その接続部の一側から下方に伸びた連結部が配設されており、前記連結部にはその外周面に複数個の案内リブが突出して配設されていることを特徴とする請求項８に記載の清掃用ブラシ構造。
【請求項１３】
前記各々の案内リブの上端部は、前記移動操作部の連結部に対して垂直になる隣接面によって限定されていることを特徴とする請求項１２に記載の清掃用ブラシ構造。
【考案の詳細な説明】
【技術分野】
【０００１】
本考案は、清掃用のブラシ構造に関し、特に、その使用方法に柔軟性を持たせて、使い勝手をよくした清掃用ブラシ構造に関するものである。
【背景技術】
【０００２】
図１に、従来の清掃用ブラシ構造の一つを斜視図で示す。この従来形清掃用ブラシは、外側鞘部１０、内側鞘部２０、そしてブラシ本体３０から構成されている。
外側鞘部１０は、断面が楕円形になる中空の細長い筒状に形成されていて、その一端部に係合用開口部１１があり、その細長い外周面の一部に長手方向に沿って形成した摺動溝１２が配設され、摺動溝１２の一端部上に位置決め穴１３が形成された構造となっている。
内側鞘部２０には、その一端部に位置決め板２１が突出して配置され、位置決め板２１の上部に位置決めヘッド２２が取り付けられている。そして、内側鞘部２０の一端部にブラシ本体３０の一端部が固着されている。
【０００３】
この従来形の清掃用ブラシの組立工程を説明する。
まず、位置決め板２１の配置された内側鞘部２０の端部を外側鞘部１０の開口部１１に対応して整合させてから、位置決めヘッド２２を下方に力を入れて位置決め板２１に押込み嵌合してから、内側鞘部２０全体を外側鞘部１０の中にギュウーギュウと押し入れていく。そうしていく内に、内側鞘部２０の位置決めヘッド２２が外側鞘部１０の摺動溝１２から飛び出して、この状態で内側鞘部２０は外側鞘部１０内部に据え付けられ、組立が完了する。
【０００４】
しかし、このような従来形の清掃用ブラシ構造には幾つかの欠点がある。
第一に、ブラシ本体３０は、清掃目的で使用するために外側に完全に露出されているか、或いは清掃作業が終了して外側鞘部１０の内側に引っ込められて中に収容されているかの、どちらかの状態にしかならない。故に、ブラシ本体３０は、清掃しようとする物品や場所が様々な状況に置かれ、清掃場所の深さなどもいろいろと違っていても、ブラシの伸び出る長さは一定しているため、適応性がない。
第二に、位置決めヘッド２２は、位置決め板２１を介して多少隙間があけられた状態で位置決め孔１３に位置付けられているので、位置決めヘッド２２が不安定に振れる原因となる。その上、位置決め孔１３の両側部は縁部が滑らかに形成されているため、位置決め効果が悪い上に、清掃作業をしている内に位置決めヘッド２２がぐらぐらと滑って不安定になる。そうすると、外側から力を加えられた時に位置決めヘッドがはずれて、ブラシ本体３０が後方へ押しやられて外側鞘部１０の中に押し込められたりするようになり易く、こうなった場合には、ブラシ本体３０を元の露出位置へ再配置するというように、再三再四、位置決めヘッド２２を外側（図面の左側方向）へ押し返すことが必要となり、清掃作業をするのに極めて不便で使い勝手が悪い。
第三に、位置決め板２１が、掃除用にブラシ本体を出すためにギューギューと押付けられたり、ブラシ本体を引っ込めるために繰返し圧力を掛けられている内に、その柔軟性が疲弊し、使用に耐えられなくなり、簡単に壊れるようになる。
【考案の開示】
【考案が解決しようとする課題】
【０００５】
本考案の清掃用ブラシは、外側鞘部、内側鞘部、移動操作部からなり、外側鞘部には、縦長の位置決め用スロット開口が形成されていて、該スロットの内側の長手方向縁部には、静止スペースを小さくし収容スペースを大きくしたギザギザ部が左右対称に形成した構成とすることで、移動操作部の位置決め部がぐらぐらと揺動することなく安定して位置付けられると共に、移動操作部の位置決め部を前後にスライドさせながらブラシ本体の長さを清掃作業に対し所望の長さに調節できるようにした清掃用ブラシを提供することをその主要な目的とする。
【０００６】
この考案の第２の目的は、移動操作部には、交換用に内側鞘部の挿入孔から簡単に外せる挿入部分を設けてあるので、組立時および取り外し時の柔軟性という利点をもたらすばかりか、従来の清掃用ブラシで行なうようなギューギューと押し付けるような作業をしなくてもすむので、清掃用ブラシの寿命を伸ばし、最高の清掃効果をもたらすことである。
【０００７】
この考案の第３の目的は、移動操作部の案内用押付板に様々な形状パターンを用いることで、市場の要求に応え、様々な年令の需要者の趣味を満たし、本考案の販売競争力に弾みをつけて経済的効果を高めることを目的とする。
【課題を解決するための手段】
【０００８】
本考案の清掃用ブラシ構造は、外側鞘部、内側鞘部、移動操作部から構成される清掃用ブラシ構造であって、前記内側鞘部の外側に配設された内側鞘部には、外周面の一部に縦長の位置決めスロットが形成され、前記位置決めスロットの内側両縁部には複数個の突出点と凹点が交互に水平に形成されたギザギザ縁部が設けられていて、前記突出点に限定された狭い静止スペースと、前記凹点に限定される広い収容スペースとを形成しており、前記内側鞘部には外周面の一端部に、外側鞘部の位置決めスロットと組み合わされるための、垂直に刻まれた挿入孔が形成されており、前記移動操作部は、案内用押板と、該案内用押板の底部に伸長する位置決め部を有する挿入部が形成されていて、これにより前記移動操作部が内側鞘部の挿入孔に安定して装着されるとともに、移動操作部の挿入部の位置決め部は位置決めスロットの突出点及び凹点によって正確に挟まれ収容されて、内側鞘部の位置調節を徐々に行なう効果がもたらされ、これにより、清掃する場所や物品の状況や高さによって案内押板を前後にスライドすると、ブラシ本体を状況に応じて所望の長さにするのを確実にし、使用中に案内押板が滑って係合が外れることのないように安定的に位置付けするとともに、交換のために取り外し作業も簡単にできるようにして、最高の使い勝手が得られるようにしたことを特徴とする。
【０００９】
請求項２の考案は  請求項１に記載の清掃用ブラシ構造において、前記内側鞘部の外径は、前記外側鞘部の内径よりも小さいことを特徴とする。
請求項３の考案は、請求項１に記載の清掃用ブラシ構造において、前記内側鞘部の挿入孔の上部には係止ブロックが突出して配設されていて、該係止ブロックはその内壁面に形成された複数本の垂直案内凹部によって複数に区画されることで複数個に限定されていることを特徴とする。
請求項４の考案は、請求項１に記載の清掃用ブラシ構造において、挿入孔の各係止ブロックの両端部は、それぞれ、上方係止面及び下方係止面によって限定されていることを特徴とする。
【００１０】
請求項５の考案は、請求項１に記載の清掃用ブラシ構造において、前記移動操作部の案内用押板は色々なパターンや形状に柔軟性をもって作られることを特徴とする。
請求項６の考案は、請求項１に記載の清掃用ブラシ構造において、前記移動操作部の案内用押板は、ペン・クリップ機能を持たせるよう、楕円形の板状に作られていることを特徴とする。
請求項７の考案は、請求項１に記載の清掃用ブラシ構造において、前記移動操作部の案内用押板は、花状の外形に形取られていることを特徴とする。
【００１１】
請求項８の考案は、請求項１に記載の清掃用ブラシ構造において、前記移動操作部には、その位置決め部の一側に接続部が下方へ伸長して配設されていることを特徴とする。
請求項９の考案は、請求項１に記載の清掃用ブラシ構造において、前記移動操作部の位置決め部は、円筒形柱状の形状に形作られていることを特徴とする。
請求項１０の考案は、請求項１に記載の清掃用ブラシ構造において、前記移動操作部の位置決め部は、外側鞘部の位置決めスロットの収容スペースよりも外径が若干大きいことを特徴とする。
請求項１１の考案は、請求項８に記載の清掃用ブラシ構造において、前記移動操作部の接続部は、矩形の柱状の形状に形作られていることを特徴とする。
【００１２】
請求項１２の考案は、請求項８に記載の清掃用ブラシ構造において、前記移動操作部には、その接続部の一側から下方に伸びた連結部が配設されており、前記連結部にはその外周面に複数個の案内リブが突出して配設されていることを特徴とする。
請求項１３の考案は、請求項１２に記載の清掃用ブラシ構造において、前記各々の案内リブの上端部は、前記移動操作部の連結部に対して垂直になる隣接面によって限定されていることを特徴とする。
【考案の効果】
【００１３】
本考案の清掃用ブラシ構造では、外側鞘部の周面に設けられた開口スロットの左右内側縁に対称にギザギザ縁部を形成し、これにより移動操作部の位置決め部の制止・収容効果を適切にすることができるため、移動操作部が所望位置に安定して位置付けられるので、この移動操作部の動きに連動してブラシ本体も前後に移動して所望長さのところで適切に係止されるようになるため、ブラシ本体の安定性が保たれて清掃作業がし易い上に、清掃される物品、場所の状況に合わせてブラシ本体の長さが適切に合わせることができ、非常に使い勝手がよい。
また、移動操作部を一方向に回すだけて、清掃用ブラシ構造の組立も解体もすることができるので、取り扱いが簡単でよい。
【考案を実施するための最良の形態】
【００１４】
以下に、添付図面を参照しながら本考案の好適な実施の形態を詳細に説明するが、それらの具体的な構造は単に本考案の実施可能な実施例に過ぎず、本考案の実用新案登録請求の範囲を狭義的に定義するものではないことが言うまでもないことである。
図２は本考案の清掃用ブラシ構造の破断斜視図、図３は図２の清掃用ブラシ構造の一部拡大断面図、図４は別の一部拡大断面図、図５は組立完了した本考案の清掃用ブラシ構造の斜視図、図６は組立状態の本考案の清掃用ブラシ構造を示す概略図、図６は組立状態の本考案の清掃用ブラシ構造を示す概略図、図７は別の組立状態の本考案の清掃用ブラシ構造を示す概略図、図８は、移動操作部が適所に調節移動され、ギザギザ部を介してそこに安定して保持されている状態を示す本考案の清掃用ブラシ構造の部分平面図、図９は本考案の清掃用ブラシ構造の案内用押板の変形例を示し、図１０は本考案の清掃用ブラシ構造の案内用押板の更に別の変形例を示す図である。
【実施例１】
【００１５】
図２に本考案の清掃用ブラシ構造の第１実施例の破断斜視図を示す。
実施例１の清掃用ブラシ構造は、外側鞘部４０、内側鞘部５０、移動操作部６０から構成される。
【００１６】
外側鞘部４０は、一端部に囲い込み端部４１が形成され、他端部には開口端部４２が形成されており、その細長い外周面の一部に長手方向に沿って形成した位置決めスロット４３が垂直に適切な長さに切り込まれている。そして、スロット４３の長手方向の底面縁部には左右両側対称に水平に複数の突出点４４と凹点４５とが交互に形成されてギザギザ縁部になっていて、突出点４４によって限定される狭い静止スペース４４１と、凹点４５によって限定される広い収容スペース４５１が形成される。
【００１７】
内側鞘部５０の外径は外側鞘部４０の外径よりもやや小さい。内側鞘部５０の一端部にはブラシ本体５１の一端が固着されていて、他端部の周面には挿入孔５２が垂直に形成されている。挿入孔５２（図４参照）の上方には係止ブロック５３が環状に突出して形成されていて、係止ブロック５３には連結部６５の案内リブ６６と対応するようにその内壁面を垂直にカットして形成された複数個の案内凹部５４が形成されており、これにより係止ブロック５３は複数個に区分けされ互いに他の係止ブロック区分から分離された構成となっている。各係止ブロック５３の上下両端部は、それぞれ、挿入穴５２の内壁に対し垂直に形成された上方係止面５５と下方係止面５６により限定されている。
【００１８】
移動操作部６０（図３参照）は、案内押板６１と、案内押板６１の底部に伸長している挿入部６２から構成されている。挿入部６２は、円筒状位置決め部６３と矩形柱状接続部６４が形成されており、位置決め部６３の外径は収容スペース４５１よりも若干広くなっている。更に、柱状の連結部６５が接続部６４の下側から下方へ伸長しており、連結部６５の外周表面には複数個の案内リブ６６が突出して形成されている。各案内リブ６６の上方縁は連結部６５に対し垂直になる隣接面６７によって限定される。
【００１９】
図５を参照すると、ここには本考案の清掃用ブラシ構造が組立てられた状態の斜視図が示されている。
【００２０】
組立工程は、まず、内側鞘部５０の挿入孔５２を外側鞘部４０の位置決めスロット４３に整合させて、内側鞘部５０を外側鞘部４０に据え付けてから、挿入孔５２を位置決めスロット４３のどの場所とも連通するように適切に位置決めする。
【００２１】
次に、移動操作部６０（図６参照）の挿入部６２が位置決めスロット４３を介して挿入されると、連結部６５の案内リブ６６が係止ブロック５３の案内凹部５４に嵌合してそこを通りぬけて行き、係止ブロック５３の底部まで到達してから、挿入孔５２に係合する。
この時、係止ブロック５３は、矩形柱状接続部６４と、挿入孔５２に係合した移動操作部６０の案内リブ６６との間に位置して、移動操作部６０の接続部６４は係止ブロック５３の上方面５５に対しきっちりと隣接しているが、案内リブ６６の隣接面６７は係止ブロック５３の下方係止面５６よりも若干高めに位置付けられた状態にある。
【００２２】
この状態から、移動操作部６０を更に少し押込むと、係止ブロック５３の下方係止面５６よりも若干高めに位置付けられた状態にあった案内リブ６６の隣接面６７が下方係止面５６よりも下がり、係止ブロック５３の案内凹部５４と連結部６５の案内リブ６６との係合が外れる。このとき、移動操作部６０を約９０°回転させることでその挿入部６２全体が一体に９０°回転して、図７に示すように位置付けられ、案内リブ６６の隣接面６７が係止ブロック５３の下方係止面５６と正確に接触して隣接するようになる。これにより、移動操作部６０は、内側鞘部５０の挿入孔５２の中に安定して錠止されて位置付けられる。
【００２３】
そして、移動操作部６０の位置決め部６３（図８参照）は、凹点４５に限定された収容スペース４５１に挟みつけられ、突出点４４の静止スペース４４１により移動が制限されることで、位置決めスロット４２に正確に位置付けられ、これにより、正確な位置決めが達成されるので、移動操作部６０は、清掃用ブラシの作業中に不安定に滑ったり外れたりするような不具合がない。
【００２４】
更に、位置決めスロット４３の設計構成により、移動操作部６０が複数の突出点４４および凹点４５によって形成されるギザギザ縁部と協働することで、位置決めスロット４３に沿って段階的に移動することができるので、これにより、徐々に少しずつ調節する調節効果がもたらされる。
【００２５】
従って、清掃しようとする物品の置かれた場所やその高さ・深さなどによって、案内用押板６１を前後にスライドさせ、内側鞘部５０の位置をその時その時によって調節させることができ、清掃作業に対し、ブラシ本体５１の丈を所望の長さに伸ばしたり縮めたりして正確な長さを得ることができるようになる。
【００２６】
また、移動操作部６０は組立時とは逆の方向に一回捩るだけで、案内リブ６６の隣接面６７を係止ブロック５３の下方係止面５６から外して、係止ブロック５３の案内凹部５４と案内リブ６６とを再度整合することができ、この状態から移動操作部６０を内側鞘部５０から簡単に取り外すことができ、組立も、取替えのための取り外しも簡単にできるという柔軟性が達成できる。
従って、本考案は上述したギューと押込めるタイプの従来技術の清掃用ブラシに改良をもたらし、清掃用ブラシが最良の状態で適用できるようにするものである。
【００２７】
市場の要望や様々な年令の需要者の好みに合わせて、移動操作部６０の案内用押板６１に色々な種類のパターンなどをつけることもできる。
例えば、図９のように、案内用押板６１を、使用者が持ち運びしやすいように、ペン・クリップ型の楕円形の板に形作ることもできる。
また、図１０のように、案内用押板６１を、視覚効果を高めるよう花形などにして魅力的にして、市場において経済的に一層競争力を強めるようにすることもできる。
【００２８】
前記に開示した構造は、単に本考案の実施可能な実施例を具体的に詳細に説明したものであり、本考案の実施形態に示す構成に限らず、本考案の実用新案登録請求の範囲の各請求項に記載した技術的範囲を逸脱しない範囲において、種々に変更し変形できることは言うまでもない。
【図面の簡単な説明】
【００２９】
【図１】従来形の清掃用ブラシ構造の斜視図。
【図２】本考案の清掃用ブラシ構造の破断斜視図。
【図３】図２の清掃用ブラシ構造の一部拡大断面図。
【図４】図２の清掃用ブラシ構造の別の一部拡大断面図。
【図５】組立完了した本考案の清掃用ブラシ構造の斜視図。
【図６】組立状態の本考案の清掃用ブラシ構造を示す概略図。
【図７】別の組立状態の本考案の清掃用ブラシ構造を示す概略図。
【図８】移動操作部が適所に調節移動され、ギザギザ部を介してそこに安定して保持されている状態を示す本考案の清掃用ブラシ構造の部分平面図。
【図９】本考案の清掃用ブラシ構造の案内用押板の変形例を示す。
【図１０】本考案の清掃用ブラシ構造の案内用押板の更に別の変形例を示す図である。
【符号の説明】
【００３０】
４０    外側鞘部
５０    内側鞘部
６０    移動操作部
４２    開口端部
４３    位置決めスロット
４４    突出点
４５    凹点
４４１  静止スペース
４５１  収容スペース
５１    ブラシ本体
５２    挿入孔
５３    係止ブロック
６１    案内押板
６５    連結部
６４    矩形柱状接続部
６６    案内リブ
【図１】
0003119154.tif 000003
【図２】
0003119154.tif 000004
【図３】
0003119154.tif 000005
【図４】
0003119154.tif 000006
【図５】
0003119154.tif 000007
【図６】
0003119154.tif 000008
【図７】
0003119154.tif 000009
【図８】
0003119154.tif 000010
【図９】
0003119154.tif 000011
【図１０】
0003119154.tif 000012